(57)【要約】【課題】専用の照明施設を設けることなく、消費電力を低減することができる表示装置および表示制御方法を提供する。【解決手段】表示装置は、発光部材と、ハウジング部材と、羽根部材と、電磁石とを有する。発光部材は、制御信号に基づいて発光を制御可能な部材である。ハウジング部材は、前記発光部材の面に直交する方向の壁を有し、前記発光部材と反対側の前記壁の端部が開口している部材である。羽根部材は、前記ハウジング部材の開口部に配置され、板状であって、永久磁石を前記発光部材側の面の端部に有し、厚み方向と直交し前記永久磁石を通過する軸で回転可能に保持された部材である。電磁石は、前記ハウジング部材の内部であって、前記永久磁石に対向する位置に配置された極性の切り替えが可能な電磁石である。【選択図】図４
2020086175.tif 000002
【特許請求の範囲】
【請求項１】
制御信号に基づいて発光を制御可能な発光部材と、
前記発光部材の面に直交する方向の壁を有し、前記発光部材と反対側の前記壁の端部が開口しているハウジング部材と、
前記ハウジング部材の開口部に配置され、板状であって、永久磁石を前記発光部材側の面の端部に有し、厚み方向と直交し前記永久磁石を通過する軸で回転可能に保持された羽根部材と、
前記ハウジング部材の内部であって、前記永久磁石に対向する位置に配置された極性の切り替えが可能な電磁石と、
を有することを特徴とする表示装置。
【請求項２】
前記羽根部材は、四角の面を有する板状であり、いずれかの辺の前記発光部材側の面の端部に前記永久磁石が配置される、
ことを特徴とする請求項１に記載の表示装置。
【請求項３】
前記羽根部材は、前記発光部材側の面の反対面が、前記制御信号が昼間に対応するモードである場合の明表示を行う色である、
ことを特徴とする請求項１または２に記載の表示装置。
【請求項４】
前記発光部材および前記羽根部材は、前記制御信号が昼間に対応するモードである場合は、前記開口部が開口するように前記羽根部材を回転して前記発光部材を消灯することで暗表示とし、前記開口部を塞ぐように回転した前記羽根部材の前記発光部材側の面の反対面を明表示とし、前記制御信号が夜間に対応するモードである場合は、前記開口部が開口するように前記羽根部材を回転して前記発光部材を点灯することで明表示とし、前記開口部を塞ぐように回転した前記羽根部材の前記発光部材側の面の反対面を暗表示とする、
ことを特徴とする請求項３に記載の表示装置。
【請求項５】
前記発光部材は、導光板、または、発光ダイオードを配置した基板である、
ことを特徴とする請求項１〜４のいずれか１つに記載の表示装置。
【請求項６】
前記制御信号は、照度センサで取得した照度値が所定値未満である場合に夜間に対応するモードとし、前記照度値が所定値以上である場合に昼間に対応するモードとする、
ことを特徴とする請求項１〜５のいずれか１つに記載の表示装置。
【請求項７】
前記羽根部材は、前記永久磁石を通過する軸と平行な軸で分割され、分割した軸が前記発光部材側に移動することで、分割した前記羽根部材の前記発光部材側の面の反対面が互いに重なるように折り畳み可能である、
ことを特徴とする請求項１〜６のいずれか１つに記載の表示装置。
【請求項８】
前記発光部材、前記ハウジング部材、前記羽根部材および前記電磁石を有する複数の表示素子が、１枚の基板上に並べられて取り付けられ、前記基板上の前記複数の表示素子の前記発光部材の発光を、１つの前記制御信号で制御する、
ことを特徴とする請求項１〜７のいずれか１つに記載の表示装置。
【請求項９】
制御信号に基づいて発光を制御可能な発光部材と、前記発光を遮光可能な羽根部材とを有する表示素子を制御する表示制御方法であって、
前記制御信号が昼間に対応するモードである場合は、前記表示素子の開口部が開口するように前記羽根部材を回転して前記発光部材を消灯することで暗表示とし、前記開口部を塞ぐように回転した前記羽根部材の前記発光部材側の面の反対面を明表示とし、前記制御信号が夜間に対応するモードである場合は、前記開口部が開口するように前記羽根部材を回転して前記発光部材を点灯することで明表示とし、前記開口部を塞ぐように回転した前記羽根部材の前記発光部材側の面の反対面を暗表示とする、
ことを特徴とする表示制御方法。
【発明の詳細な説明】
【技術分野】
【０００１】
本発明は、表示装置および表示制御方法に関する。
【背景技術】
【０００２】
野球場に配置されたスコアボードなどに文字を表示するための装置として、磁気反転式の表示装置が用いられる場合がある。磁気反転式の表示装置は、磁力によって、羽根を反転表示させる表示素子をマトリクス状に並べたものである。
【０００３】
１つ１つの表示素子は、例えば３ｃｍ×３ｃｍといったサイズを有する。表示素子は、電磁石の極性を切替えることで板状の羽根を反転させて表示を変える。例えば、表示素子は、反転前には黒などの暗色を表示し、反転後に黄色や白などの明色を表示する。このような表示素子が、例えば１６×１６のマトリクス状に並べられる。そして、表示装置は、マトリクス状に並んだ表示素子のうち表示する図柄に対応した箇所の表示素子に明色を表示させ、それ以外の表示素子には暗色を表示させることで、文字や数字などの指定された図柄を表示する。
【０００４】
このような表示装置は、昼間や照明がある部屋等の外光がある環境では、外光を反射することで表示内容が視認できる。また、夜間や照明がない部屋等の外光がない環境では、別途、照明を照射し、照射した照明光を反射することで表示内容が視認できる。
【０００５】
また、表示装置としては、ＬＥＤ（Light  Emitting  Diode）等を用いた自発光式のドットマトリクス表示装置も用いられている。また、太陽光を筐体内部に導入してドットマトリクス表示を行う表示装置が提案されている。
【先行技術文献】
【特許文献】
【０００６】
【特許文献１】特開２０１４−２１５４４８号公報
【特許文献２】特開平８−２２１０１０号公報
【発明の概要】
【発明が解決しようとする課題】
【０００７】
しかしながら、従来の磁気反転式の表示装置では、夜間の照明のために専用の照明施設を設ける必要がある。一方、自発光式のドットマトリクス表示装置では、常時点灯するため磁気反転式の表示装置と比べて消費電力が大きくなる。このため、専用の照明施設を設けることなく、消費電力を低減することは困難である。
【０００８】
一つの側面では、専用の照明施設を設けることなく、消費電力を低減することができる表示装置および表示制御方法を提供することにある。
【課題を解決するための手段】
【０００９】
一つの態様では、表示装置は、発光部材と、ハウジング部材と、羽根部材と、電磁石とを有する。発光部材は、制御信号に基づいて発光を制御可能な部材である。ハウジング部材は、前記発光部材の面に直交する方向の壁を有し、前記発光部材と反対側の前記壁の端部が開口している部材である。羽根部材は、前記ハウジング部材の開口部に配置され、板状であって、永久磁石を前記発光部材側の面の端部に有し、厚み方向と直交し前記永久磁石を通過する軸で回転可能に保持された部材である。電磁石は、前記ハウジング部材の内部であって、前記永久磁石に対向する位置に配置された極性の切り替えが可能な電磁石である。
【発明の効果】
【００１０】
専用の照明施設を設けることなく、消費電力を低減することができる。
【図面の簡単な説明】
【００１１】
【図１】図１は、実施例１の表示装置の構成の一例を示すブロック図である。
【図２】図２は、表示ユニットの正面図である。
【図３】図３は、実施例１における表示ユニットの縦２画素分の表示素子の一例を示す図である。
【図４】図４は、実施例１における表示ユニットの縦２画素分の表示素子の一例を示す図である。
【図５】図５は、実施例１における表示ユニットの縦２画素分の表示素子の一例を示す図である。
【図６】図６は、昼間モードの表示の一例を示す図である。
【図７】図７は、夜間モードの表示の一例を示す図である。
【図８】図８は、実施例１の表示制御処理の一例を示すフローチャートである。
【図９】図９は、実施例２における表示ユニットの縦２画素分の表示素子の一例を示す図である。
【図１０】図１０は、実施例２における表示ユニットの縦２画素分の表示素子の一例を示す図である。
【図１１】図１１は、実施例２における表示ユニットの縦２画素分の表示素子の一例を示す図である。
【発明を実施するための形態】
【００１２】
以下、図面に基づいて、本願の開示する表示装置および表示制御方法の実施例を詳細に説明する。なお、以下の実施例により、開示技術が限定されるものではない。また、以下の実施例は、矛盾しない範囲で適宜組みあわせてもよい。
【実施例１】
【００１３】
（表示装置の構成）
図１は、実施例１の表示装置の構成の一例を示すブロック図である。図１に示すように、表示装置１は、照度センサ２０と、制御部３０と、表示ユニット１００とを有する。照度センサ２０は、例えばフォトダイオード等を用いて照度を測定する。照度センサ２０は、測定した照度を示す照度値を制御部３０に出力する。
【００１４】
制御部３０は、照度センサ２０から入力された照度値に基づいて、表示ユニット１００の表示モードを設定する。また、制御部３０は、設定した表示モードに応じて表示ユニット１００のバックライトのオン／オフと、表示論理の正論理／負論理とを制御する。さらに、制御部３０は、図示しない入力部または通信部から取得した表示データを表示ユニット１００に出力して表示する。
【００１５】
表示ユニット１００は、磁力によって羽根部材を回転させることで明暗表示を切り替える表示素子をマトリクス状に並べたものである。図２は、表示ユニットの正面図である。図２に示す表示ユニット１００ａは、表示ユニット１００を構成する複数の表示ユニットの１つである。つまり、表示ユニット１００ａは、複数を組み合わせることで表示ユニット１００を構成する。
【００１６】
表示ユニット１００ａは、例えば、８×８のマトリクス状に並べられた表示素子１０を有する。また、表示ユニット１００ａは、図示はしないが、複数の表示素子１０が基板上に配置され、当該基板が枠に固定されている。なお、表示ユニット１００ａは、表示素子１０を１６×１６のマトリクス状に並べてもよい。表示素子１０は、例えば、矩形のハウジング部材１１の開口部に設けた羽根部材１２が磁力によって回転する。表示ユニット１００は、複数の表示素子１０を用いて１つの図柄を表示することができる。例えば、表示ユニット１００は、文字や数字などを表示することができる。
【００１７】
（表示素子の構成）
図３から図５は、実施例１における表示ユニットの縦２画素分の表示素子の一例を示す図である。図３から図５では、縦２画素分の表示素子１０を例として、表示素子１０の構造について説明する。表示素子１０は、ハウジング部材１１と、羽根部材１２と、カラーシート１３と、導光板１４と、ＬＥＤ１５と、永久磁石１６と、電磁石１７と、駆動電線１８とを有する。なお、図３の平面図では、表示素子１０の内部がわかるようにハウジング部材１１の一部分を除いている。
【００１８】
ハウジング部材１１は、導光板１４に直交する方向の四方に壁を有し、導光板１４と反対側の壁の端部が開口している。つまり、ハウジング部材１１は、表示ユニット１００を正面から見た場合に画素の境界となる矩形状の部材である。
【００１９】
羽根部材１２は、板状の部材であり、例えば、四角の面を有する。羽根部材１２は、翼ともいう。本実施例では、羽根部材１２の正面側から視認可能な面は、黄色のカラーシート１３が貼り付けられて色付けがされる。なお、カラーシート１３の色は、黄色に限定されず、白色、オレンジ色およびこれらの色の蛍光色を用いることができる。羽根部材１２は、１つの辺の導光板１４側の面の端部に、永久磁石１６を有する。羽根部材１２は、永久磁石１６を有する辺と平行な軸であり、かつ、永久磁石１６を通過する回転軸を中心に回転する。具体的には、羽根部材１２は、永久磁石１６に対して発生する斥力及び引力により回転する。また、永久磁石１６は、羽根部材１２が回転することで、電磁石１７に対向する側の極性が反転するように配置されている。
【００２０】
導光板１４は、発光部材の一例である。導光板１４は、例えば、表示ユニット１００ａ上の複数の表示素子１０に渡って配置され、導光板１４の端部にＬＥＤ１５が配置される。ＬＥＤ１５は、制御部３０からの制御信号に基づいて、点灯と消灯を切り替えることで、導光板１４とともにバックライトを構成する。なお、導光板１４およびＬＥＤ１５は、表示素子１０ごとに設けてもよい。また、発光部材は、導光板１４およびＬＥＤ１５に代えて、基板上にＬＥＤを複数配置することでバックライトを構成するようにしてもよい。なお、発光部材（導光板１４）の発光色は、白色、オレンジ色および黄色等の視認可能な色であれば、限定されない。
【００２１】
電磁石１７は、ハウジング部材１１の内部であって、永久磁石１６に対向する位置に配置される。つまり、電磁石１７は、Ｓ極またはＮ極となる端部が導光板１４の面に直交する方向を向いている。電磁石１７は、鉄芯とコイルを形成する銅線とを有する。電磁石１７のコイルには、駆動電線１８が接続され、所定方向に電流が流れると、磁界が発生し鉄芯がＳ極またはＮ極となる。また、電磁石１７の鉄芯は、コイルに所定方向とは逆方向に電流が流れると、逆の磁界が発生し所定方向に電流を流した場合とは逆の極性となる。電磁石１７は、制御部３０から制御されることで、羽根部材１２がハウジング部材１１の開口部を塞ぐ状態、または、当該開口部が開口する状態とすることができる。
【００２２】
羽根部材１２は、永久磁石１６の極性と、永久磁石１６と対向する電磁石１７の端部の極性とが同じ曲性となった場合、永久磁石１６に対して斥力が発生し、永久磁石１６とともに回転する。永久磁石１６は、回転すると電磁石１７と対向する側の極性が反転し、電磁石１７の端部の極性と反対の極性を有する状態となる。これにより、永久磁石１６に対して引力が発生し、回転開始の状態から９０度回転すると永久磁石１６は停止する。つまり、羽根部材１２も停止する。
【００２３】
図４および図５の正面図およびＡ−Ａ’断面図では、羽根部材１２がハウジング部材１１の開口部を塞ぐ状態である表示素子１０ａと、羽根部材１２がハウジング部材１１の内部方向に回転することで開口部が開口する状態である表示素子１０ｂとを示している。
【００２４】
ここで、例えば、羽根部材１２が表示素子１０ａの状態、つまり、永久磁石１６の電磁石１７と対向する側の極性がＮ極である状態で、電磁石１７の永久磁石１６と対向する側の端部がＮ極となるように磁界を発生させたとする。この場合、羽根部材１２および永久磁石１６は、永久磁石１６と電磁石１７とがＮ極同士で反発して回転し、表示素子１０ｂに示す状態となる。羽根部材１２および永久磁石１６は、表示素子１０ｂに示す状態となった時点で永久磁石１６の電磁石１７と対向する側の極性がＳ極となり、Ｎ極である電磁石１７の永久磁石１６と対向する側の端部と引き合うことで回転が停止する。なお、表示素子１０ｂの状態から表示素子１０ａの状態への移行については、電磁石１７の極性を逆にすることで、表示素子１０ａの状態から表示素子１０ｂの状態への移行時と同様に行うことができる。
【００２５】
表示素子１０ａおよび表示素子１０ｂは、昼間に対応するモード、つまりバックライトを消灯している場合には、表示論理を正論理とし、それぞれ明表示および暗表示を表すことになる。一方、表示素子１０ａおよび表示素子１０ｂは、夜間に対応するモード、つまりバックライトを点灯している場合には、表示論理を負論理とし、それぞれ暗表示および明表示を表すことになる。すなわち、表示素子１０は、昼間に対応するモード（以下、昼間モードともいう。）と、夜間に対応するモード（以下、夜間モードともいう。）とで、表示論理を逆転させる。
【００２６】
図６は、昼間モードの表示の一例を示す図である。図６に示すように、表示素子１０は、昼間モードの場合には、ハウジング部材１１の開口部が羽根部材１２で塞がれると、羽根部材１２の表面のカラーシート１３に外光が照射されることで明表示となる。一方、表示素子１０は、羽根部材１２がハウジング部材１１の内部方向に回転して開口部が開口すると、ハウジング部材１１の壁で囲まれた導光板１４に外光が届かずに暗表示となる。つまり、導光板１４は、ハウジング部材１１の壁がシェードの役割をするので黒く見えることになる。
【００２７】
図７は、夜間モードの表示の一例を示す図である。図７に示すように、表示素子１０は、夜間モードの場合には、羽根部材１２がハウジング部材１１の内部方向に回転して当該ハウジング部材１１の開口部が開口すると、バックライトが点灯しているため導光板１４から光が照射され明表示となる。一方、表示素子１０は、ハウジング部材１１の開口部が羽根部材１２で塞がれると、導光板１４からの光は遮断され、羽根部材１２の表面のカラーシート１３は外光がないため暗表示となる。
【００２８】
（表示装置の動作）
次に、実施例１の表示装置１の動作について説明する。図８は、実施例１の表示制御処理の一例を示すフローチャートである。
【００２９】
表示装置１の制御部３０は、例えば、管理者から表示開始が指示されると、照度センサ２０から照度値を取得する（ステップＳ１）。制御部３０は、取得した照度値が所定値、例えば、５０００ｌｘ以上であるか否かを判定する（ステップＳ２）。制御部３０は、照度値が所定値以上であると判定した場合には（ステップＳ２：Ｙｅｓ）、昼間モードに設定し（ステップＳ３）、表示ユニット１００のバックライトをオフにして（ステップＳ４）、表示論理を正論理に設定する（ステップＳ５）。
【００３０】
一方、制御部３０は、照度値が所定値未満であると判定した場合には（ステップＳ２：Ｎｏ）、夜間モードに設定し（ステップＳ６）、表示ユニット１００のバックライトをオンにして（ステップＳ７）、表示論理を負論理に設定する（ステップＳ８）。
【００３１】
制御部３０は、表示論理を設定すると、設定した表示論理に基づいて、表示データを表示ユニット１００に出力して表示する（ステップＳ９）。制御部３０は、例えば、管理者から入力される終了指示に基づいて、表示を終了するか否かを判定する（ステップＳ１０）。制御部３０は、表示を終了しないと判定した場合には（ステップＳ１０：Ｎｏ）、ステップＳ１に戻る。制御部３０は、表示を終了すると判定した場合には（ステップＳ１０：Ｙｅｓ）、表示制御処理を終了する。これにより、表示装置１は、専用の照明施設を設けることなく、消費電力を低減した表示を行うことができる。
【００３２】
このように、表示装置１の表示素子１０は、発光部材（導光板１４）と、ハウジング部材１１と、羽根部材１２と、電磁石１７とを有する。発光部材は、制御信号に基づいて発光を制御可能な部材である。ハウジング部材１１は、発光部材の面に直交する方向の壁を有し、発光部材と反対側の壁の端部が開口している部材である。羽根部材１２は、ハウジング部材１１の開口部に配置され、板状であって、永久磁石１６を発光部材側の面の端部に有し、厚み方向と直交し永久磁石１６を通過する軸で回転可能に保持された部材である。電磁石１７は、ハウジング部材１１の内部であって、永久磁石１６に対向する位置に配置された極性の切り替えが可能な電磁石である。その結果、表示装置１は、専用の照明施設を設けることなく、消費電力を低減した表示を行うことができる。
【００３３】
また、羽根部材１２は、四角の面を有する板状であり、いずれかの辺の発光部材側の面の端部に永久磁石１６が配置される。その結果、羽根部材１２は、電磁石１７によって回転可能となる。
【００３４】
また、羽根部材１２は、発光部材側の面の反対面が、制御信号が昼間に対応するモードである場合の明表示を行う色である。その結果、羽根部材１２は、ハウジング部材１１の開口部を塞ぐ状態で明表示を行うことができる。
【００３５】
また、発光部材および羽根部材１２は、制御信号が昼間に対応するモードである場合は、開口部が開口するように羽根部材１２を回転して発光部材を消灯することで暗表示とし、開口部を塞ぐように回転した羽根部材１２の発光部材側の面の反対面を明表示とする。また、発光部材および羽根部材１２は、制御信号が夜間に対応するモードである場合は、開口部が開口するように羽根部材１２を回転して発光部材を点灯することで明表示とし、開口部を塞ぐように回転した羽根部材１２の発光部材側の面の反対面を暗表示とする。その結果、表示装置１は、昼間モードと夜間モードとで表示論理を逆転することで、昼間および夜間のどちらの場合でも表示を行うことができる。
【００３６】
発光部材は、導光板１４、または、発光ダイオードを配置した基板である。その結果、夜間に発光可能であるので、夜間でも表示を行うことができる。
【００３７】
制御信号は、照度センサ２０で取得した照度値が所定値未満である場合に夜間に対応するモードとし、照度値が所定値以上である場合に昼間に対応するモードとする。その結果、周囲の明るさに応じて昼間モードと夜間モードとを切り替えることができる。
【００３８】
発光部材、ハウジング部材１１、羽根部材１２および電磁石１７を有する複数の表示素子１０が、１枚の基板上に並べられて取り付けられ、基板上の複数の表示素子１０の発光部材の発光を、１つの制御信号で制御する。その結果、表示ユニット１００全体について、容易に昼間モードと夜間モードとを切り替えることができる。
【実施例２】
【００３９】
図９から図１１は、実施例２における表示ユニットの縦２画素分の表示素子の一例を示す図である。実施例２の表示素子５０は、実施例１の表示素子１０と比較して、ハウジング部材の開口部を広くすることで、より視認性を高くしている。なお、実施例１の表示素子１０と同一の構成には同一符号を付すことで、その重複する構成および動作の説明については省略する。なお、図９の平面図では、表示素子５０の内部がわかるようにハウジング部材５１の一部分を除いている。
【００４０】
表示素子５０は、ハウジング部材５１と、羽根部材５２と、カラーシート５３と、導光板１４と、ＬＥＤ１５と、永久磁石５６と、電磁石１７と、駆動電線１８とを有する。
【００４１】
ハウジング部材５１は、導光板１４に直交する方向の四方に壁を有し、導光板１４と反対側の壁の端部が開口している。図１０および図１１に示すように、ハウジング部材５１は、実施例１のハウジング部材１１と比較して開口部が大きくなるような部材である。ハウジング部材５１は、例えば、表示ユニット１００を正面から見た場合に、ハウジング部材１１と比較して縦方向の長さが長くなるような矩形状の部材である。また、ハウジング部材５１には、羽根部材５２の移動を補助するガイドレール５４が設けられている。
【００４２】
羽根部材５２は、板状の部材である羽根部材５２ａ，５２ｂを蝶番５２ｃで連結したものである。また、羽根部材５２ａの蝶番５２ｃと反対側の端部には、ガイドレール５４に沿って移動する突起５２ｄを有する。なお、羽根部材５２は、実施例１の羽根部材１２と同様に翼ともいう。本実施例では、羽根部材５２ａ，５２ｂの正面側から視認可能な面は、黄色のカラーシート５３ａ，５３ｂが貼り付けられて色付けがされる。なお、カラーシート５３ａ，５３ｂを区別しない場合には、カラーシート５３という。
【００４３】
羽根部材５２ｂは、蝶番５２ｃと反対側の端部に、永久磁石５６を有する。羽根部材５２ｂは、永久磁石５６を有する辺と平行な軸であり、かつ、永久磁石５６を通過する回転軸を中心に回転する。具体的には、羽根部材５２ｂは、永久磁石５６に対して発生する斥力及び引力により回転する。また、永久磁石５６は、羽根部材５２ｂが回転することで、電磁石１７に対向する側の極性が反転するように配置されている。さらに、羽根部材５２ａは、羽根部材５２ｂが回転すると、蝶番５２ｃ側の端部が羽根部材５２ｂの端部とともにハウジング部材５１の内部方向に移動する。また、羽根部材５２ａ，５２ｂは、突起５２ｄがガイドレール５４に沿って移動することで、カラーシート５３ａ，５３ｂが向かい合うように折り畳まれる。
【００４４】
羽根部材５２ｂは、永久磁石５６の極性と、永久磁石５６と対向する電磁石１７の端部の極性とが同じ曲性となった場合、永久磁石５６に対して斥力が発生し、永久磁石５６とともに回転する。永久磁石５６は、回転すると電磁石１７と対向する側の極性が反転し、電磁石１７の端部の極性と反対の極性を有する状態となる。これにより、永久磁石５６に対して引力が発生し、回転開始の状態から９０度回転すると永久磁石５６は停止する。つまり、羽根部材５２ｂ、および、蝶番５２ｃを介して移動した羽根部材５２ａも停止する。
【００４５】
図１０および図１１の正面図およびＢ−Ｂ’断面図では、羽根部材５２がハウジング部材５１の開口部を塞ぐ状態である表示素子５０ａと、羽根部材５２がハウジング部材５１の内部方向に折り畳まれて開口部が開口する状態である表示素子５０ｂとを示している。
【００４６】
ここで、例えば、羽根部材５２が表示素子５０ａの状態、つまり、永久磁石５６の電磁石１７と対向する側の極性がＮ極である状態で、電磁石１７の永久磁石５６と対向する側の端部がＮ極となるように磁界を発生させたとする。この場合、羽根部材５２および永久磁石５６は、永久磁石５６と電磁石１７とがＮ極同士で反発して回転し、表示素子５０ｂに示す状態となる。羽根部材５２および永久磁石５６は、表示素子５０ｂに示す状態となった時点で永久磁石５６の電磁石１７と対向する側の極性がＳ極となり、Ｎ極である電磁石１７の永久磁石５６と対向する側の端部と引き合うことで回転が停止する。なお、表示素子５０ｂの状態から表示素子５０ａの状態への移行については、電磁石１７の極性を逆にすることで、表示素子５０ａの状態から表示素子５０ｂの状態への移行時と同様に行うことができる。
【００４７】
表示素子５０ａおよび表示素子５０ｂは、昼間モード、つまりバックライトを消灯している場合には、表示論理を正論理とし、それぞれ明表示および暗表示を表すことになる。一方、表示素子５０ａおよび表示素子５０ｂは、夜間モード、つまりバックライトを点灯している場合には、表示論理を負論理とし、それぞれ暗表示および明表示を表すことになる。
【００４８】
このように、表示素子５０の羽根部材５２は、永久磁石５６を通過する軸と平行な軸で分割され、分割した軸が発光部材側に移動することで、分割した羽根部材５２の発光部材側の面の反対面が互いに重なるように折り畳み可能である。その結果、ハウジング部材５１の開口部を広くとれるので、より視認性を高くすることができる。
【符号の説明】
【００４９】
１  表示装置
１０，５０  表示素子
１１，５１  ハウジング部材
１２，５２，５２ａ，５２ｂ  羽根部材
１３，５３，５３ａ，５３ｂ  カラーシート
１４  導光板
１５  ＬＥＤ
１６，５６  永久磁石
１７  電磁石
１８  駆動電線
２０  照度センサ
３０  制御部
５２ｃ  蝶番
５２ｄ  突起
５４  ガイドレール
１００，１００ａ  表示ユニット
【図１】
2020086175.tif 000003
【図２】
2020086175.tif 000004
【図３】
2020086175.tif 000005
【図４】
2020086175.tif 000006
【図５】
2020086175.tif 000007
【図６】
2020086175.tif 000008
【図７】
2020086175.tif 000009
【図８】
2020086175.tif 000010
【図９】
2020086175.tif 000011
【図１０】
2020086175.tif 000012
【図１１】
2020086175.tif 000013